(57)【要約】【課題】この発朋は、線状部材のみを収束することにより、単位当りの線状部材の収束量を増大させ、かつ、結束手段をつけたまま線状部材を取り出し、その収束体の変形による形崩れや捻れ、絡み等の不具合を防止することのできる結束線状体およびその製造方法を提供することを目的とするものである。【解決手段】この発明に係る結束線状体およびその製造方法は、電線、コード類、紐類あるいは各種ホース等の巻回可能な線状部材２を、相対向する棒状体を備えた収束冶具５を介して８の字状に複数回巻回して、少なくとも二重以上積み重ねた状態で収束し、得られた収束体をシート、紐類あるいは袋体からなる容器等の各種結束手段３で結束し、前記線状部材の一端を外方に突出させて引出部４を形成してなるものである。【選択図】      図１
2005001760.tif 000002
【特許請求の範囲】
【請求項１】
巻回可能な線状部材を、収束冶具を介して、８の字状に巻回して、少なくとも二重以上積み重ねた状態で収束し、この収束体をシートあるいは容器等の種々の結束手段で結束し、前記線状部材の一端を収束された線状部材よりも突出させて引出部を形成してなる結束線状体。
【請求項２】
前記巻回可能な線状部材を８の字状に巻回して収束される収束体は、その複数束を連続状態に形成して、種々の結束手段で結束してなる請求項１記載の結束線状体。
【請求項３】
前記巻回可能な線状部材を８の字状に巻回して収束される収束体は、複数束を単体または連続状態において各種結束手段により結束してなる複数個を、袋または箱等の収納体に収容してなる請求項１記載の結束線状体。
【請求項４】
前記巻回可能な線状部材を８の字状に巻回して収束される収束体は、８の字の交差部で折り返して平面視略ドーナツ状に形成して、各種結束手段で結束してなる請求項１記載の結束線状体。
【請求項５】
巻回可能な線状部材を収束用冶具により８の字状に巻回して少なくとも二重以上積み重ねた状態で収束し、前記線状部材の一端を収束された線状部材よりも突出させて引出部を形成する工程と、
収束された収束体の単体または複数個を、シートあるいは容器等の結束手段で結束する工程とを含む、
結束線状体の製造方法。
【請求項６】
前記巻回可能な線状部材より収束される収束体を収束用冶具により、複数個連続状に形成してなる工程を含む、
請求項５記載の結束線状体の製造方法。
【請求項７】
前記巻回可能な線状部材より収束される収束体を８の字状の交差部において折り返して平面視略ドーナツ状に形成してなる工程を含む、
請求項５および６のいずれかに記載の結束線状体の製造方法。
【発明の詳細な説明】
【０００１】
【発明の属する技術分野】
この発明は、巻回可能なワイヤーあるいはホース等の線状部材を８の字状に巻回して収束し、結束される結束線状体およびその製造方法に関するものである。
【０００２】
【従来の技術】
従来は、イヤホーン取付け用輪ゴム部と小型ラジオやマイクロカセットテープレコーダー等の取付け用輪ゴム部より構成されたイヤホーン固定用８の字形のゴムバンドがある（例えば、特許文献１参照。）
また、電線収束結束装置として、複数の電線を収束穴で収束し、収束した電線を結束する結束手段を設けてハーネスや電線を束ねて結束するものもある（例えば、特許文献２参照。）
また、束ねた状態の紐状物あるいは棒状物に巻回するバンド部と、このバンド部の両端に設けられて互いに引っかかり合う係合鉤部とを有し、可撓性に富む合成樹脂材にて形成される結束具がある（例えば、特許文献３参照。）
【０００３】
【特許文献１】
実開昭５７−１０６３８３号公報
【特許文献２】
特開平０７−１３２９６０号公報
【特許文献３】
特開平０９−０６６９６０号公報
【０００４】
【発明が解決しようとする課題】
従来は、所定の長さを有する種々の用途に用いられる線状体を、二つ折り、または、くり返し折り返して輪ゴムや紐等で結束してなるものが用いられていた。
また、板状、円柱状およびドラム状等の様々の巻き取り具の上に、線状体の材質、形状あるいは用途に対応して巻きつけるか、または線状体の形が崩れないように巻き取り芯に巻いた状態で外側の方から取出して使用に供されていた。
しかしながら、これらは巻き取り具や巻き取り芯が介在されるため、結束線状体全体が嵩張ったり、または巻き取った線状部材を幅芯から取り出すため使い終った後も始めのときとほぼ変らない容積をもっていた。
さらに、輪ゴムや紐類あるいはフック等の結束手段を一度解除して復元または使用に供するため結束が型崩れを生じ易かった。
【０００５】
本発明は上記に鑑み、巻取り芯等の介在物を不要として線状部材のみを収束することにより、単位当りの線状部材の収束量を増大させ、かつ、結束手段をつけたまま線状部材を取り出し、その収束体の変形による形崩れや捻れ、絡み等の不具合を防止することのできる結束線状体およびその製造方法を提供することを目的とするものである。
【０００６】
【課題を解決するための手段】
上記課題を達成するために、本発明に係る結束線状体は、電線、コード類、紐類あるいは各種ホース等の巻回可能な線状部材を、相対向する棒状体を備えた収束冶具を介して８の字状に複数回巻回して、少なくとも二重以上積み重ねた状態で収束し、得られた収束体をシート、紐類あるいは袋体からなる容器等の各種結束手段で結束し、前記線状部材の一端を外方に突出させて引出部を形成してなることを特徴とするものである。
【０００７】
さらに、本発明に係る結束線状体は、巻回可能な線状部材を８の字状に巻回して収束される収束体は、その複数束を線状部材が連続状態になるように形成されて、各種結束手段で結束してなることを特徴とするものである。
【０００８】
さらに、本発明に係る結束線状体は、巻回可能な線状部材を８の字状に巻回して収束される収束体は、その複数束が単体を重ね合わせた状態、または連続された状態において各種結束手段により結束して、袋または箱等の収納体に収容してなることを特徴とするものである。
【０００９】
さらに、本発明に係る結束線状体は、巻回可能な線状部材を８の字状に巻回して収束される収束体を、８の字の交差部で折り返して平面視略ドーナツ状に形成して、各種結束手段で結束してなることを特徴とするものである。
【００１０】
さらに、本発明に係る結束線状体の製造方法は、巻回可能な線状部材を収束用冶具により８の字状に巻回して、少なくとも二重以上積み重ねた状態で収束し、前記線状部材の一端を収束された線状部材よりも突出させて引出部を形成する工程と、収束された収束体をシートあるいは容器等の結束手段で結束する工程とを含むことを特徴とするものである。
【００１１】
さらに、本発明に係る結束線状体の製造方法は、巻回可能な線状部材より収束される収束体を、収束用冶具により複数個連続状に形成してなる工程を含むことを特徴とするものである。
【００１２】
さらに、本発明に係る結束線状体の製造方法は、巻回可能な線状部材より収束される収束体を８の字の交差部において折り返して平面視略ドーナツ状に形成してなる工程を含むことを特徴とするものである。
【００１３】
【発明の実施の形態】
以下、この発明に係る結束線状体およびその製造方法の実施の形態につき、添付図面に基づいて説明する。
【００１４】
図１は、本発明に係る結束線状体を示す斜視図で、この結束線状体は、針金や電線等のワイヤー、各種コード類、ホース類、紐類あるいは糸等の巻回可能な可撓性を有する線状部材２を、収束用冶真６を用いて、平面視略８の字状に複数回巻回して、少なくとも二重以上積み重ねた状態で収束し、得られた収束体を、その交差部を含む略中央部分において、やや幅広のテープ等のシートを巻回する結束手段３で帯状に結束して形成されている。
なお、この線状部材２の終端には、８の字を有して収束された線状部材２の収束体よりも外方に突出させて引出部５を形成してなるものである。
【００１５】
線状部材２を複数８の字状に収束した収束体の結束手段３は、図１に示した幅広のテープ状シートからなる結束手段３を用いて巻回する以外、線状部材２の材質や形状に対応して、図２に示すように、幅狭のシートまたは紐等の結束手段３を用いて、収束された線状部材２において、８の字に形成される内部を空間とする両端側の膨出部分を緊縛するものであってもよい。
【００１６】
さらに、８の字状に収束された線状部材２は、図３に示すように、シートまたは紐等の結束手段３によって、その外側を直接帯状に緊縛する以外、一端を開口した袋体からなる結束手段３に収束体を収容して、その終端の引出部４を結束手段３としての袋体から突出させることも可能であり、また、袋体４は開口部を封緘して穿設された穴より引出部４を外部に出しておくものであってもよい。
【００１７】
巻回可能な線状部材２を８の字状に収束する収束用冶具５は、図４に示すように、適宜間隔をおいて相対向して対峙する一対の棒状体を用いたものが使用される。すなわち、線状部材２を収束用冶具５に設けた一対の棒状体の中央部で交差させて順次８の字状に複数回にわたって積み重ねるように巻回して収束体を形成される。
【００１８】
なお、この収束用冶具５は、図５に示すように、一対の棒状体を複数連、すなわち、図示の実施例においては三連並列して、線状部材２を８の字状の収束体を三つ連続して形成されることができる。
この場合、同じ一対の棒状体を用いて線状部材２を複数回８の字状に巻回して収束体に束ねてから、隣接の一対の棒状体に移って同様に収束体を形成するもの以外、三連の棒状体に順次線状部材２を８の字状に巻回して、同時的に連続する三つの収束体を形成することも可能で、結束線状体の性状や用途によって選択することができる。
【００１９】
図６乃至図９は、図５に示したような収束用冶具５を用いて、線状部材２を８の字状に巻回して、連続状に形成される複数連の収束体からなる本発明の結束線状体を示すものである。
連続状に形成される複数連の収束体は、図１および図２に示したと同様、やや幅広のシートからなる結束手段３を用いてその中央部分を帯状に結束するか（図６参照）、あるいは、幅狭のテープまたは紐等からなる結束手段３を用いてその両側の膨出部分を緊縛するものである（図７参照）。
【００２０】
このように形成された結束線状体は、必要に応じて、図８に示すように、袋、または箱等からなる収容体１に収納するか、あるいは、図９に示すように、結束線状体を８の字状に形成した複数の連続状の収束体を紐等の結束手段３を用いて結束し、さらに、この複数の収束体を幅広の帯状シートからなる収納体１で束ねてなるものである。
なお、図１０に示したように、結束線状体を袋や箱等からなる収容体１に収納するときは、その一端に設けられる引出部４を収納体１の外部に突出することによって、容易に使用に供される。
【００２１】
図１０ないし図１２は、２束ないし５束等の収束体の複数束を積み重ねて用いるもので、図１１に示すように、個々の収束体を独立して紐等の結束手段３で結束して積み重ねても、また、図１２に示すように、一本の紐等の結束手段３を用いて複数束の収束体の一側を順次連続して結束し、同様他側を連続状に結束するものであってもよい。
【００２２】
図１３に示す結束線状体は、複数の収束体を結束して箱からなる収納体１に収納したものであり、図１４は同じく複数の収束体を結束して袋からなる収納体１に収納したもので、線状部材２の終端の引出部４が収容物の外側に突出され、図５に示したような一本の線状部材２を連続して形成される複数の収束体を用いることが望ましい。
【００２３】
図１５に示す実施例は、ゴムや軟質性のプラスチック等の柔軟性を有する材料から製せられるホースやロープ等の可撓性を有する巻回可能な線状部材２に適するもので、８の字状に巻回した線状部材２の収束体は、図１６に示すように、収束体とした線状部材２の８の字の交差部を支点として折り返して重ね合わせ、平面視略ドーナツ状に形成して袋体からなる結束手段３に収容して、結束線状体を形成するものである。
【００２４】
図１７に示す実施例は、さらに、８の字状に収束される線状部材２の収束体の変形されたもので、複数の相対する棒状体の立設位置を若干ずらして齟齬させた収束用冶具５を用いて収束するものである。
この実施例においては、１０本の棒状体をそれぞれ５本づつ相対向してその位置を齟齬して立設し、線状部材２の始端部を棒状体の最外端からスタートして相対する４対、すなわち反対端に位置する一対の棒状体を除いて、８本の棒状体を順次複数回巻回して、線状部材２を積み重ねて８の字状とする第１の収束体を形成し、さらに連続して同様反対端の一対の棒状体を除いて順次巻回して、線状部材２を積み重ねた８の字状とする第二の収束体を形成するものである。
【００２５】
このようにして形成された連続する２つの収束体は、図１８に示すように、２つの収束体を重ね合わせて、それぞれの交差部から折り返して略ドーナツ状に形成して、図１９に示すように、袋体からなる結束手段３に線状部材２の引出部４を突出させて収容させるものである。
なお、前述の通り、収束体を予めシートや紐等の結束手段３で結束して結束線状体を形成して、袋や箱等の収納体１に収納するものであってもよい。
【００２６】
【発明の効果】
以上説明したように、本発明に係る結束線状体によれば、巻回可能な線状部材を、収束用冶具を介して８の字状に複数回巻回して、少なくとも二重以上積み重ねた状態で収束して得られた収束体をシート、紐類あるいは袋体からなる容器等の各種結束手段で結束し、前記線状部材の一端を外方に突出させて引出部を形成してなるもので、巻取り芯等の介在物を不要として線状部材のみを収束することにより、線状部材を用いた収束体の単位当りの収束量を増大させ、かつ、結束されたままで線状部材を必要量容易に取り出すことができ、さらに、収束体の外側から押止・曲折・捩れ等の外力が作用しても、８の字に巻回されていることにより、収束体の変形が抑止されて、形崩れや捻れ、絡み等の不具合を防止することのできる。
【００２７】
さらに、巻回可能な線状部材を８の字状に巻回して収束される収束体は、その複数束を線状部材が連続状態になるように形成されて、各種結束手段で結束してなることにより、必要とする量や大きさの収束体を得ることができ、取り出しが容易でかつほつれにくい。
【００２８】
さらに、巻回可能な線状部材を８の字状に巻回して収束される収束体は、その複数束が単体を重ね合わせた状態、または連続された状態において各種結束手段により結束して、袋または箱等の収納体に収容してなることにより、搬送や保管の際の汚れや変形を防ぐことができる。
【００２９】
さらに、巻回可能な線状部材を８の字状に巻回して収束される収束体を、８の字の交差部で折り返して平面視略ドーナツ状に形成して、各種結束手段で結束してなることにより、嵩張らずに保管しやすくなる。
【００３０】
さらに、本発明に係る結束線状体の製造方法によれば、巻回可能な線状部材を収束用冶具により８の字状に巻回して、少なくとも二重以上積み重ねた状態で収束し、前記線状部材の一端を収束された線状部材よりも突出させて引出部を形成する工程と、収束された収束体をシートあるいは容器等の結束手段で結束する工程とを含むことにより、簡単な装置で迅速に結束体を容易に形成することができる。
【００３１】
さらに、巻回可能な線状部材より収束される収束体を、収束用冶具により複数個連続状に形成してなる工程を含むことにより、用途や線状体の性状に対応した収束体を得ることができる
【図面の簡単な説明】
【図１】本発明に係る結束線状体を示す斜視図である。
【図２】紐等の結束手段を用いた本発明に係る結束線状体の一例を示す斜視図である。
【図３】袋等の結束手段を用いた本発明に係る結束線状体の他の例を示す斜視図である。
【図４】本発明に係る結束線状体を形成する線状部材の収束工程を示す斜視図である。
【図５】同じく他の収束工程を示す斜視図である。
【図６】連続する複数の収束体の結束状態を示す斜視図である。
【図７】同じく複数の結束線状体の他の結束状態を示す斜視図である。
【図８】本発明に係る複数の結束線状体の収容体への収容状態を示す正面略示図である。
【図９】同じく連続する複数の収束体の他の収容体への収容状態を示す斜視図である。
【図１０】２つの結束線状体を積み重ねた状態を示す斜視図である。
【図１１】同じく３つの結束線状体を積み重ねた状態を示す斜視図である。
【図１２】同じく５つの結束線状体を積み重ねた状態を示す斜視図である。
【図１３】連続する複数の収束体からなる結束線状体の収容状態を示す斜視図である。
【図１４】同じく、連続する複数の収束体からなる結束線状体の他の収容状態を示す斜視図である。
【図１５】ホース等の屈曲可能な結束線状体の収束状態を示す略示図である。
【図１６】図１５に示す結束線状体の収束状態を示す略示図である。
【図１７】線状部材の他の収束用冶具による収束工程を示す略示図である。
【図１８】図１７で形成された収束体を示す略示図である。
【図１９】同じく図１７で形成された収束体の結束状態を示す略示図である。
【符号の説明】
１        収納体
２        線状部材
３        結束手段
４        線状部材２の引出部
５        収束用冶具
【図１】
2005001760.tif 000003
【図２】
2005001760.tif 000004
【図３】
2005001760.tif 000005
【図４】
2005001760.tif 000006
【図５】
2005001760.tif 000007
【図６】
2005001760.tif 000008
【図７】
2005001760.tif 000009
【図８】
2005001760.tif 000010
【図９】
2005001760.tif 000011
【図１０】
2005001760.tif 000012
【図１１】
2005001760.tif 000013
【図１２】
2005001760.tif 000014
【図１３】
2005001760.tif 000015
【図１４】
2005001760.tif 000016
【図１５】
2005001760.tif 000017
【図１６】
2005001760.tif 000018
【図１７】
2005001760.tif 000019
【図１８】
2005001760.tif 000020
【図１９】
2005001760.tif 000021